(57)【要約】  【課題】  焼香順を検討するときにその順番入れ替え検討する順序が種々変わるような場合でもその順番を容易に変更することが可能で、しかも、お通夜からお葬式のみならずそれ以降も有効に活用することができる葬祭用の管理帳を提供する。  【解決手段】  お通夜やお葬式などに使用される葬祭用の管理帳１であって、所定枚数の紙と、この紙に着脱可能な個別シート２ａ，２ｂ，２ｃ…とを備え、個別シート２ａ，２ｂ，２ｃ…には、参列者の住所・氏名や香典の額などを記載する欄Ｒ１が設けられるとともに、着脱用の接着剤ｓが塗布されている。この個別シート２ａ，２ｂ，２ｃ…を並び変えて、お葬式の焼香の順番を検討する。   【選択図】  図１
0003110177.tif 000002
【実用新案登録請求の範囲】
【請求項１】
お通夜やお葬式などに使用される葬祭用の管理帳であって、所定枚数の紙と、この紙に着脱可能な個別シートとを備え、個別シートには、参列者の住所・氏名や香典の額などを記載する欄が設けられるとともに、着脱用の接着剤が塗布されていることを特徴とする葬祭用の管理帳。
【請求項２】
お通夜や葬式などに使用される葬祭用の管理帳であって、所定枚数の紙と、この紙に切り取り線又はミシン目が施され分離可能な個別シートとを備え、個別シートには、参列者の住所・氏名や香典の額などを記載する欄が設けられるとともに、着脱用の接着剤が塗布されていることを特徴とする葬祭用の管理帳。
【請求項３】
前記個別シートには、香典を頂いた順を示す欄が設けられていることを特徴とする請求項１又は請求項２記載の葬祭用の管理帳。
【請求項４】
前記個別シートに記載された事項が前記所定枚数の紙に写る転写用シートが配されていることを特徴とする請求項１又は請求項２記載の葬祭用の管理帳。
【請求項５】
前記所定枚数の紙には、焼香順に個別シートを振り分ける振り分け用の紙が配されていることを特徴とする請求項１又は請求項２記載の葬祭用の管理帳。
【考案の詳細な説明】
【技術分野】
【０００１】
この考案は、お通夜やお葬式などにおいて使用される葬祭用の管理帳に関する。
【背景技術】
【０００２】
お通夜やお葬式には遺族が参列者（故人の知人、友人、親戚等）から受け取った香典（金銭）などを記帳管理する香典帳が使用される。この香典帳は、参列者の住所・氏名や香典の額などを記載する欄が設けられている。香典帳のほかに、供物控帳、会計帳、焼香順位帳、買物帳などが別に準備されることも多い。
【０００３】
お通夜では、参列者にその住所・氏名を台帳に記載してもらい、香典を頂くが、管理者（会計担当者）は、香典袋のお金を確認して、香典帳へ香典の額を記載する。なお、香典明細の他に、生花や花輪の提供の有無、葬儀への参加の有無等も記入することもある。
【０００４】
お通夜が終わると、管理者（会計担当者）はお通夜の香典の集計をするが、次に葬儀の準備も必要になり、参列者の焼香の順番を予め決めておく必要がある。焼香の順番としては、喪主、嗣子、母、妻、子、孫などの近親者の順、友人や知人の順や会社関係の順等を予め定めておき、お葬式の際にその順序で焼香してもらうこととなる。焼香順は、その順序を読み上げる人（司会進行役）に手渡されることが通常である。なお、遺族が故人の知人、友人、親戚から頂いた各種の金銭（香典料等）、供物、生花や花輪の提供等を管理するものとしては、特許文献１がある。
【特許文献１】特開２００４−９５５６
【考案の開示】
【考案が解決しようとする課題】
【０００５】
しかしながら、香典の集計等も大変な業であるが、お葬式の際の焼香順を決定することも容易な作業ではない。すなわち、お通夜に参列されたからといって必ずしも葬儀も参列するとは限らず、また、お葬式のみ参列される人もいること、伯父、叔父、伯母、叔母、孫等の順番も決めておく必要があり、また、友人、知人や会社関係の人の焼香順を決める場合も、年齢順や故人との親しさなど等を種々検討し、失礼の無いように配慮する。ここで、最も注意しなければならない事項は、記載の漏洩ミス、つまりお通夜に来ており葬儀にも参列するにも係わらず葬儀の焼香順に名前を挙げないというミスである。また、一度焼香順を決めてこれを清書したとしても、後で訂正が入ることも多く、何度も書き直すことも多い。そして、最終的に司会進行役に手渡される焼香順を記載した紙は、どの順番かさえ容易には理解され難い内容になっていることも珍しくなく、これらはお通夜の間中検討されることも珍しくない。なお、特許文献１は、香典帳、供物控帳、会計帳、焼香順位帳、買物帳などを一つにまとめたものであり、上記課題を解決するものではない。
【０００６】
そこで本考案の目的は、焼香順を検討するときにその順番入れ替え検討する順序が種々変わるような場合でもその順番を容易に変更することが可能で、しかも、お通夜からお葬式のみならずそれ以降も有効に活用することができる葬祭用の管理帳を提供することにある。
【課題を解決するための手段】
【０００７】
本考案の請求項１記載の葬祭用の管理帳は、お通夜やお葬式などに使用される葬祭用の管理帳であって、所定枚数の紙と、この紙に着脱可能な個別シートとを備え、個別シートには、参列者の住所・氏名や香典の額などを記載する欄が設けられるとともに、着脱用の接着剤が塗布されていることを特徴とする。本考案の請求項２記載の葬祭用の管理帳は、お通夜や葬式などに使用される葬祭用の管理帳であって、所定枚数の紙と、この紙に切り取り線又はミシン目が施され分離可能な個別シートとを備え、個別シートには、参列者の住所・氏名や香典の額などを記載する欄が設けられるとともに、着脱用の接着剤が塗布されていることを特徴とする。
【０００８】
この考案によれば、お通夜の参列者に個別シートの住所・氏名の欄に記載してもらうか、香典の担当者（会計責任者）が個別シートに参列者の氏名や香典を確認しながらお通夜の参列者や葬儀に参列される人を全員記載する。お通夜が終わり、お葬式の焼香順を検討するときには、着脱可能な個別シートを剥離したり、切り取り線又はミシン目から個別シートとして切り離して、焼香順の検討をする。焼香順が決定したならば、個別シートには、着脱用の接着剤が塗布されていることからこれを利用して紙などに貼着させると、葬儀の焼香順に個別シートが整理されることとなる。
【０００９】
本考案の請求項３記載の葬祭用の管理帳は、前記個別シートには、香典を頂いた順を示す欄が設けられていることを特徴とする。
【００１０】
この考案によれば、香典を頂いた順を示す欄が設けられていることから、ここに記載した番号や印（チェック欄）などから、香典の担当者（会計責任者）が香典を頂いた順番に戻したいようなときには、容易に戻すことができる。
【００１１】
本考案の請求項４記載の葬祭用の管理帳は、前記個別シートに記載された事項が前記台紙に写る転写用シートが配されていることを特徴とする。
【００１２】
この考案によれば、香典の担当者（会計責任者）がお通夜やお葬式に参列する人をまとめながら、その際にボールペン等でその下の個別シートに転写させると、会計用にまとめながらお葬式の焼香順に使用する個別シートを作成することができる。
【００１３】
本考案の請求項５記載の葬祭用の管理帳は、前記所定枚数の紙には、焼香順に個別シートを振り分ける振り分け用の紙が配されていることを特徴とする。ここで、振り分け用の紙には、例えば、遺族欄、近親者欄、友人・知人欄や、会社関係欄等を設けておくと良い。
【００１４】
この考案によれば、前記所定枚数の紙には、焼香順に個別シートを振り分ける振り分け用の紙が配されていることから、例えば、近親者欄に、近親者の個別シートを取り敢えず集め、その中で焼香順を更に絞り込むなどの作業が可能になる。
【考案の効果】
【００１５】
本考案の葬祭用の管理帳によれば、焼香順を検討するときにその順番入れ替え検討する順序が種々変わるような場合でもその順番を容易に変更することが可能になる。さらに、お通夜の参列者に個別シートに各々名前と住所等を書いてもらうと、その個別シートを焼香順を検討したり、さらに初七日や四十九日等の案内を出す人を選別するのに使用できるなお、お通夜からお葬式のみならずそれ以降も有効に活用することができる葬祭用の管理帳を提供することにあるさせることができる。また、お通夜に参列された人のデータを基にしているので、お通夜に来ており葬儀にも参列するにも係わらず葬儀の焼香順に名前を挙げないというミスを防止することができる。
【考案を実施するための最良の形態】
【００１６】
以下、本考案を実施するための最良の形態について図面を参照して詳細に述べる。
【００１７】
（第１の実施の形態）
本実施の形態は、図１と図２に示すように、所定枚数の紙ｐと、この紙ｐに着脱可能な個別シート２ａ，２ｂ，２ｃ…を備えた葬祭用の管理帳１である。所定枚数の紙ｐの所定のページｐ１には、個別シート２ａ，２ｂ，２ｃ…が配されている。所定のページｐ１の次のページｐ２には、お葬式の焼香順が記載された欄Ｒ３が設けられている。なお、これらのページはバインダー形式で、ページを入れ替えたり追加できるようなものが好ましい。
【００１８】
個別シート２ａ，２ｂ，２ｃ…は、葬式の焼香順を検討するために並び替えられたりするために使用されるもので、裏面に着脱用の接着剤ｓが塗布されている（図１の最下欄の個別シート２ｅを参照）。また、個別シート２ａ，２ｂ，２ｃ…には、参列者の住所・氏名や香典の額などを記載する欄Ｒ１が設けられているとともに、お通夜の参列者順を示す欄Ｒ２が設けられている。この個別シート２ａ，２ｂ，２ｃ…としては、図４に示するように、所定枚数の紙ｐと、この紙ｐに切り取り線又はミシン目Ｍが施され分離可能な個別シート２ａ，２ｂ，２ｃ…であって、着脱用の接着剤ｓが塗布されているものでも良い。このため、所定枚数の紙ｐなどに貼着させたり、離脱させることで、焼香順を検討する際に順序が変わっても容易に変更可能である。
【００１９】
ここで、お通夜に参列された順や香典を頂いた順が分かるようにしておく良い。これらの欄やＮｏを記載しておくと、お通夜の参列者順や香典を頂いた順にも容易に並べ戻すことができることとなるが、会計担当者にとって香典の集計等の作業は大きな作業であり、お通夜の参列者順や香典を頂いた順に戻したいことが生じるからである。また、生花や菓子などの供物の提供を記載する欄や、花輪の提供等を記載する欄を設けておくことにより、供物控帳、会計帳、焼香順位帳、買物帳などとしての使用も可能になる。
【００２０】
したがって、お通夜の際に参列があった場合は、葬祭用の管理帳１の第２ページに貼着されている個別シート２ａ，２ｂ，２ｃ…に各々参列者の住所と氏名を順に記載して頂くこととなる。お通夜が終了すると、葬祭の管理者（会計担当者）は、香典袋の中身（お金）を確認して、個別シート２ａ，２ｂ，２ｃ…の香典の金額欄に香典の金額を記入する。ここで、生花・花輪の提供等を必要に応じて記入する。そして、葬儀の焼香順を検討するときには、着脱可能な個別シート２ａ，２ｂ，２ｃ…を剥離したり、切り取り線又はミシン目Ｍから個別シート２ａ，２ｂ，２ｃ…として切り離して、焼香順の検討をする。この場合、お葬式の焼香順が記載された欄Ｒ３が設けられている所定のページｐ２を使用しても良いし、単に机や黒板などに接着剤ｓを介して並び替えても良い。なお、お葬式の焼香順が記載された欄Ｒ３が設けられているお通夜には参列されなかったが、お葬式には参列される方が判明している場合には、個別シート２ａ，２ｂ，２ｃ…に記載する。個別シート２ａ，２ｂ，２ｃ…には着脱用の接着剤ｓが塗布されていることから、これを利用して何度でも入れ替えたり追加したりするときも容易であり種々に位置を変更することができ、仮の位置を決定したり、最終的に決定するときも、その位置で接着剤で貼着させることができ、このようにして、葬儀の焼香順に個別シート２ａ，２ｂ，２ｃ…が調えられるので（図３）、そのまま焼香順を読み上げる人（司会進行役）に手渡しておくと、司会進行役は、お葬式の焼香順にそのまま読み上げれば良い。また、本実施の形態によれば、お通夜の参列者の記帳をそのまま使用するため、再度葬祭の管理者（会計担当者）が香典帳等をまとめる必要がないという利点も有する。
【００２１】
（第２の実施の形態）
本実施の形態は、図５に示すように、所定枚数の紙ｐと、この紙ｐに着脱可能な個別シート２ａ，２ｂ，２ｃを備えた葬祭用の管理帳１１である。所定枚数の紙ｐの所定のページｐ３には、個別シート２ａ，２ｂ，２ｃ…が配されているが、このページｐ３は、お通夜に参列者が自己の指名や住所を記載するページとは別項に設けられている。本実施の形態は、香典の担当者（会計責任者）が主になってこの葬祭用の管理帳１１を管理するように工夫されたものであり、参列者には上記別のページに自己の名前や住所を記載するようになっており、香典の担当者（会計責任者）が焼香順の検討に使用される上記ページｐ３の記載欄と個別シート２ａ，２ｂ，２ｃ…をまとめるようになっている。そして、転写用シートＫが配され、香典の担当者（会計責任者）がお通夜の参列者の記載を見てまとめるときに、ボールペン等で記載すると、その次のページに移るようになっている。転写用シートＫはカーボン紙等である。
【００２２】
したがって、香典の担当者（会計責任者）は、お通夜の参列者などが記載された欄を参考にしながら、まず、会計用に必要な香典を頂いた内容（氏名や香典の額）を記載する。現金書留などで香典のみ届くこともあるのでこれも漏れないようにして記載する。この記載をすると、転写用シートＫを介して個別シート２ａ，２ｂ，２ｃ…にもお通夜の参列者が名前や住所が転写されるので、お葬式の焼香順の検討は、この転写用シートＫを介して転写された個別シート２ａ，２ｂ，２ｃ…を使用する。これは、お通夜の参列者は、筆書きされることもあり、転写シートＫを介しての記載は必ずしも好ましいとは言えないこと、香典の担当者（会計責任者）は会計用の独自の帳面（香典帳）として使用したいことがあること等を考慮したものである。
【００２３】
このため、お葬式の焼香順の検討は、この転写用シートＫを介して転写された個別シート２ａ，２ｂ，２ｃ…を使用して、着脱可能な個別シート２ａ，２ｂ，２ｃ…を剥離したり、切り取り線又はミシン目Ｍから個別シート２ａ，２ｂ，２ｃ…として切り離して、紙などに接着剤ｓを介して着脱を繰り返して、焼香順を検討して、焼香順を決定し（図３）、そのまま焼香順を読み上げる人（司会進行役）に手渡すこととなる。
【００２４】
（第３の実施の形態）
本実施の形態は、図６に示すように、所定枚数の紙ｐに、焼香順に個別シート２ａ，２ｂ，２ｃ…を振り分ける振り分け用の紙ｐ４〜ｐ８が配されている。振り分け用の紙ｐ４〜ｐ８には、親族欄Ｒ４、近親者欄Ｒ５、友人・知人欄や会社関係欄Ｒ６等を設けている。なお、親族欄Ｒ４、近親者欄Ｒ５、友人・知人欄や会社関係Ｒ６などを一枚の紙にまとめても良い。
【００２５】
したがって、第１や第２の実施の形態の個別シート２ａ，２ｂ，２ｃ…とを使用してお葬式の焼香順を検討するときは、取り敢えず、近親者や、友人・知人であることが分かれば、近親者欄Ｒ５や友人・知人欄Ｒ６に個別シート２ａ，２ｂ，２ｃ…をその接着剤ｓを各々の欄に貼着させておく。そして、その作業が終了してから、各々の欄、例えば、友人・知人や会社関係欄Ｒ６に個別シート２ａ，２ｂ，２ｃ…を更に好ましい順番になるように置き換えながら検討することができるようになる。
【００２６】
以上、本実施の形態では、お通夜からお葬式の焼香順を検討する際を例に説明したが、本実施の形態の葬祭用の管理帳１，１１は、お葬式の後でも、例えば、初七日や四十九日等の案内を出す人を選別するときにも、個別シート２ａ，２ｂ，２ｃ…を使用することができるものである。なお、本実施の形態では、横書きの形式で図示したが、本実施の形態の葬祭用の管理帳１，１１は、縦書き形式等に使用できることは言うまでもない。
【図面の簡単な説明】
【００２７】
【図１】本考案の第１の実施の形態の葬祭用の管理帳を示す斜視図である。
【図２】上記第１の実施の形態の葬祭用の管理帳の個別シートを入れ替えを検討するとき状態を示す平面図である。
【図３】上記第１の実施の形態の個別シートの並び替えが終了した状態を示す平面図である。
【図４】上記第１の実施の形態の他の例を示す平面図である。
【図５】本考案の第２の実施の形態の葬祭用の管理帳を示す平面図である。
【図６】本考案の第３の実施の形態の葬儀用の管理帳を示す平面図である。
【符号の説明】
【００２８】
１，１１            葬祭用の管理帳、
２ａ，２ｂ，２ｃ…  個別シート、
３                  振り分け用の紙、
Ｍ                  切り取り線又はミシン目、
ｓ                  着脱用の接着剤、
Ｋ                  転写用シート、
Ｒ１                参列者の住所・氏名や香典の額などを記載する欄、
Ｒ２                お通夜の参列者順を示す欄
【図１】
0003110177.tif 000003
【図２】
0003110177.tif 000004
【図３】
0003110177.tif 000005
【図４】
0003110177.tif 000006
【図５】
0003110177.tif 000007
【図６】
0003110177.tif 000008